(57)【要約】【課題】  振動板への固定や取り外しを容易にする。【解決手段】  平面スピーカ１０において、エキサイタ１は接合シート３を介して振動板２に固定されている。接合シート３はＰＥＴ等から成るフィルム状の基材３１の両面に粘着層３２が被着されたものである。接合シート３はエキサイタ１の底面（接合面）から少なくとも一方に延びている延長部であるタブ３ａを有しており、タブ３ａはエキサイタ１の側面から上面にわたって張り付けられている。【選択図】      図１
2006229506.tif 000002
【特許請求の範囲】
【請求項１】
振動板に固定されて電気音響信号を機械振動に変換する平面スピーカ用エキサイタの固定構造において、フィルム状基材の両面に粘着層を形成して成るとともに前記エキサイタの接合面から少なくとも一方に延長した延長部を有する接合シートを介して前記エキサイタを前記振動板に接合したことを特徴とする平面スピーカ用エキサイタの固定構造。
【請求項２】
前記接合シートの前記延長部には前記基材の片面にのみ粘着層が形成されていることを特徴とする請求項１記載の平面スピーカ用エキサイタの固定構造。
【請求項３】
前記接合シートの前記延長部には片面の粘着層の外側にも前記基材が貼着されていることを特徴とする請求項１記載の平面スピーカ用エキサイタの固定構造。
【請求項４】
前記接合シートの前記延長部は前記エキサイタ又は前記振動板に貼着されていることを特徴とする請求項１乃至請求項３のいずれかに記載の平面スピーカ用エキサイタの固定構造。
【発明の詳細な説明】
【技術分野】
【０００１】
本発明は携帯機器、ＰＤＡ、ゲーム機器等の情報端末、パソコン、テレビ等の映像機器、音声機器に用いる平面スピーカ用エキサイタに関し、更に詳しくは平面スピーカ用エキサイタの固定構造に関する。
【背景技術】
【０００２】
従来、圧電素子を用いたエキサイタを使用した平面スピーカや、電磁型のエキサイタを用いた平面スピーカが、提案・製品化されている（例えば、特許文献１、特許文献２参照。）。これらはいずれも電気音声信号を機械振動に変換するエキサイタと、機械振動を空気の音響振動であるいわゆる音に変換する振動板から成り立っているが、エキサイタと振動板を固定する際には工数も材料費も比較的安く済む両面粘着テープや接着剤を用いている。図４は従来の平面スピーカを示す斜視図である。図４において、５０は平面スピーカ、１は平面スピーカ５０を構成するエキサイタ、２は同じく振動板、５３は両面粘着テープを示している。両面粘着テープ５３は、一面がエキサイタ１の底面（接合面）に貼着され、他面が振動板２に貼着されてエキサイタ１と振動板２との接合部材となっている。
【特許文献１】特開平１１−３３１９６９号公報
【特許文献２】特開２００１−６２３９６号公報
【発明の開示】
【発明が解決しようとする課題】
【０００３】
一般に電気・電子装置の製造工程においては、作業ミスや部材の不具合発見・発生により、部品の取り替え（交換）を行うことが必須であり、また市場出荷後も故障等の修理のため部品取り替えを行っている。しかし、上述の如く部品を両面粘着テープによる粘着固定や、接着剤による接着固定を行うと、その部品の取り外しは非常に困難である。特に携帯端末のような機器に使用される部品の場合は、落下等の大きな衝撃が機器に加わっても部品が外れないように強固に固着する必要があるため、これと矛盾した関係にある部品の取り外しは非常に困難となる。従って部品の取り外し、交換の際には、粘着剤や接着剤を薬品で溶解したり、あるいは鋭利な刃物で削ぎ落とすなどして、力任せに取り外す等の非合理な方法をとらざるを得ず、一般的には、接着・粘着されている部材全てを廃棄するしかなくなって大きな損失をしていた。
【０００４】
本発明は、このような従来の問題を解決するためになされたものであり、その目的は、振動板への固定や取り外しが容易にできる平面スピーカ用エキサイタの固定構造を提供することである。
【課題を解決するための手段】
【０００５】
前述した目的を達成するための本発明の手段は、振動板に固定されて電気音響信号を機械振動に変換する平面スピーカ用エキサイタの固定構造において、フィルム状基材の両面に粘着層を形成して成るとともに前記エキサイタの接合面から少なくとも一方に延長した延長部を有する接合シートを介して前記エキサイタを前記振動板に接合したことを特徴とする。
【０００６】
また、前記接合シートの前記延長部には前記基材の片面にのみ粘着層が形成されていることを特徴とする。
【０００７】
また、前記接合シートの前記延長部には片面の粘着層の外側にも前記基材が貼着されていることを特徴とする。
【０００８】
また、前記接合シートの前記延長部は前記エキサイタ又は前記振動板に貼着されていることを特徴とする。
【発明の効果】
【０００９】
以上説明したように、本発明によれば、振動板に固定されて電気音響信号を機械振動に変換する平面スピーカ用エキサイタの固定構造において、フィルム状基材の両面に粘着層を形成して成るとともに前記エキサイタの接合面から少なくとも一方に延長した延長部を有する接合シートを介して前記エキサイタを前記振動板に接合した。そこで、エキサイタを取り外す際には、薬品、刃物や大きな力を用いることなくできるため、エキサイタに損傷を与えることなく簡単に取り外すことができ、また、取り外したエキサイタの再使用も可能となるため、製造工程内修理、市場故障の修理が容易になりコスト低減ができる。また、取り外しのための接合シートの延長部（タブ）はエキサイタ又は振動板に貼り付けておくことにより、なんら邪魔になることもなく見かけ上の部品寸法を大きく増加させることもない。
【発明を実施するための最良の形態】
【００１０】
以下、本発明の実施の形態を図面に基づいて詳細に説明する。図１は本発明の実施の形態である平面スピーカの要部を示す斜視図、図２は図１のＢ矢視側面図である。
【００１１】
まず、本発明の実施の形態である平面スピーカの構成について図面を参照して説明する。図１及び図２において、１０は平面スピーカを示しており、３はエキサイタ１と振動板２とを接合している接合シートを示している。３１は接合シート３のＰＥＴ等から成るフィルム状基材を示しており、３２は基材３１の両面に形成された粘着層を示している。接合シート３はエキサイタ１の底面（接合面）から少なくとも一方に延びている延長部であるタブ３ａを有しており、タブ３ａはエキサイタ１の側面から上面にわたって貼着されている。タブ３ａの片面には粘着層３２は不要であり形成されていなくてもよい。
【００１２】
図３は、本発明の他の実施の形態である平面スピーカの要部を示す側面図である。図３において、１３は接合シートを示しており、接合シート１３のタブ１３ａには片面の粘着層３２の外側にも基材３１が貼着されている。
【００１３】
次に、本発明の実施の形態の効果について説明する。タブ３ａ又は１３ａを有する接合シート３又は１３を用いて固定してあるので、エキサイタ１を振動板２から取り外す場合には、面同士が粘着しているものを面で引き剥がすのではなく、タブ３ａ又は１３ａが取り外しの手がかりとなるので手又は工具等を用いて引っ張ることでエキサイタ１を端部から徐々に引き上げるように引き剥がすことが可能になり、結果としてエキサイタ１を簡単に取り外すことができる。従って部品交換によりエキサイタ１を損傷することがなく、更には再使用も可能になるのである。タブ３ａ又は１３ａはエキサイタ１又は振動板２へ貼着しておくことができるから、邪魔になったり、見かけ上の部品寸法が大きく増加してしまうこともない。
【００１４】
接合シート１３を用いた場合には、タブ１３ａの強度を向上させることになるからエキサイタ１の引き剥がしが一層容易になる。また、基材３１に着色したり、印刷を施すことによってタブ１３ａを識別し易くすることができる。なお、タブ３ａの片面に粘着層３２を除いた接合シート３を製造する場合には片面の粘着層３２を位置精度良く貼り合わせたり印刷する必要があるのに対して、両面粘着層３２の接合シート３の場合には基材３１の両面がベタであるために、長尺材を定寸にカットすることにより製造が容易である。また、接合シート１３の場合には両面粘着層３２の接合シート３にタブ１３ａ部分の外側の基材３１を後工程で貼り付けてもよいから製造が容易である。
【産業上の利用可能性】
【００１５】
本発明の平面スピーカ用エキサイタの固定構造は、携帯電話やＰＤＡ等の携帯情報端末に限らず音響機器全般に広く適用できるものである。
【図面の簡単な説明】
【００１６】
【図１】本発明の実施の形態である平面スピーカを示す要部斜視図である。
【図２】図１のＢ矢視側面を示す側面図である。
【図３】本発明の他の実施の形態である平面スピーカの要部を示す側面図である。
【図４】従来の平面スピーカを示す斜視図である。
【符号の説明】
【００１７】
１  エキサイタ
２  振動板
３、１３  接合シート
３ａ、１３ａ  タブ
１０  平面スピーカ
３１  基材
３２  粘着層
【図１】
2006229506.tif 000003
【図２】
2006229506.tif 000004
【図３】
2006229506.tif 000005
【図４】
2006229506.tif 000006